(57)【要約】【課題】  仮根をしっかり定着でき、良好に栽培できる苔の栽培方法を提供する。【解決手段】  収容体３に軽石５を敷き詰めるように収容する。この軽石５の敷き詰め、これにフデゴケやスナゴケ等の苔２を播つけることにより、苔２の仮根が軽石５の孔５Ａに入り込んでしかっり定着して群落を得ることができる。特に軽石５は通気性、保水性が優れていて土と違い病害虫や雑菌が発生しにくく、病気の発生も少なくできる。また、仕切り板９は、その縦断面は釘のように下部より上部にかけて次第に厚く形成し、さらに上部に張り出し部10を形成しているので、収容体３の格子９Ａ内の苔２を抜き出そうとしても仕切り板９によって抵抗を受けて抜き出にくなる。しかも格子９Ａ内で苔２が軽石５に付着して群落になった場合上方に抜き出すような力が加わってもこれに抗して軽石５、ひいては苔２は抜き出されないようになっている。【選択図】図４
2007037408.tif 000002
【特許請求の範囲】
【請求項１】
栽培用部材に苔を設ける苔の栽培方法において、前記栽培用部材を多孔質部材により形成することを特徴とする苔の栽培方法。
【請求項２】
前記多孔質部材は軽石であり、該軽石は敷設されていることを特徴とする請求項１記載の苔の栽培方法。
【請求項３】
前記苔は、フデゴケ、スナゴケ、カモジゴケ、ハイゴケの少なくとも１種からなることを特徴とする請求項１又は２記載の苔の栽培方法。
【請求項４】
上方を開口した収容体の内底に多孔質部材を敷設すると共に、前記収容体の内底上に仕切り板を設け、この仕切り板の上部に張り出し部を設けたことを特徴とする苔の栽培装置。
【発明の詳細な説明】
【技術分野】
【０００１】
本発明は、苔の栽培方法及び苔の栽培装置に関するものである。
【背景技術】
【０００２】
苔（コケ）の栽培法として、浅箱状の本体底部に凹部を多数形成し、多数の凹部に対して架設状態となるように通水性を有する敷板を配設し、この敷板上に、苔を生育させるための床を形成する土壌を収納し、そしてこの土壌に苔を播つけるようにしている（例えば特許文献１）。
【特許文献１】実用新案登録第３１０８６７７号公報
【発明の開示】
【発明が解決しようとする課題】
【０００３】
従来技術のように栽培用部材としての土を収容体に設けて、この土を利用して苔を栽培する方法では、土の一面に種苔をまいていたので、その育った苔の収容体を斜めにすると、土が下方に偏ってしまったり、さらには、大雨などで土が収容体の外に流出してしたり、オーバーフロー孔を詰まらせたりするおそれがある。このような水分を多量に含んでいる状態では、収容体全体が重くなり、ビルの屋上等に負担をかけてしまう。また、土の場合は強風で苔が根を張っている土ごと吹き飛ばされることもある。また土に雑菌が発生したり、虫も発生するので、その虫を食べに鳥が来て、苔をほじくり返すという鳥害が多発するおそれがある。
【０００４】
解決しようとする問題点は、仮根をしっかり定着でき、良好に栽培できる苔の栽培方法及び苔の栽培装置を提供する点である。
【課題を解決するための手段】
【０００５】
請求項１の発明は、栽培用部材に苔を設ける苔の栽培方法において、前記栽培用部材を多孔質部材により形成することを特徴とする苔の栽培方法である。
【０００６】
請求項２の発明は、前記多孔質部材は軽石であり、該軽石は敷設されていることを特徴とする請求項１記載の苔の栽培方法である。
【０００７】
請求項３の発明は、前記苔は、フデゴケ、スナゴケ、カモジゴケ、ハイゴケの少なくとも１種からなることを特徴とする請求項１又は２記載の苔の栽培方法である。
【０００８】
請求項４の発明は、上方を開口した収容体の内底に前記多孔質部材を敷設すると共に、前記収容体の内底上に仕切り板を設け、この仕切り板の上部に張り出し部を設けたことを特徴とする請求項１又は２記載の苔の栽培装置である。
【発明の効果】
【０００９】
請求項１の発明によれば、苔の仮根が多孔質部材の孔に入り込んで付いて苔がの流出を防止することができる。
【００１０】
請求項２の発明によれば、軽石を敷き詰め、苔を植えつけることにより、茎の仮根が軽石にしっかり定着して群落が得られる。軽石は通気性、保水性が優れていて土と違い病害虫が発生しにくい。そして、軽石は石と石が良く噛み合うので斜面でも零れ落ちない。さらに、軽石は気泡が無数ある為、熱が伝わりにくい為、屋上緑化等にも適する。
【００１１】
請求項３の発明によれば、絨毯のように表面をはうような美観を有する。
【００１２】
請求項４の発明によれば、収容体の苔を抜き出そうとしても仕切り板によって抵抗を受けて抜き出にくく、苔を流出を防止できる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜図４は実施例１を示しており、実施例１はビルの屋上１の緑化装置を示しており、屋上１面上に苔２のケースたる収容体３を並設している。収容体３は、上面を開口した浅箱状の本体の内底に凹部４を多数並設して形成し、この多数の凹部４上に、苔２を生育、栽培させるための床を形成する栽培用部材としての多孔質部材である軽石５を収納し得るようにしている。軽石５はその最大幅Ｗが２〜１５ｍｍ程度、好ましくは３〜７ｍｍ程度のものであり、弱酸性のものが好ましい。凹部４は平面正方形な裁頭四角錐を上下逆に形成したものであって、その外辺の長さＬは５〜２０ｍｍ程度、内辺の長さＭは２〜１０ｍｍ程度であり、さらに凹部の深さＮは２〜１０ｍｍ程度に形成されている。前記軽石５は、火山から噴出した溶岩が急冷する際に、含有ガスが逸出して多孔質海綿状となった岩石であり、その質はもろく小さな孔５Ａがあり、水に浮くものである。
【００１５】
そして多数の凹部４間の高所となっている境界６の交差箇所にはオーバーフロー孔７を設けて余分な水分が供給されないようになっている。尚、オーバーフロー孔７は総ての交差箇所ではなく、適宜配置されており、オーバーフロー孔７が形成されない非オーバーフロー孔の交差箇所の一部には隣接する交差箇所間に上方へ突設するリブ８が接続している。
【００１６】
さらに、収容体３内には凹部４に載置して仕切り板９が着脱自在に設けられる。この仕切り板９は平面が格子状に形成されており。１つの格子９Ａの内側に一方向に３〜４個の複数の凹部が配置されると共に、一方向に直交する方向にも３〜４個の複数の凹部４が配置され、さらにその高さＨは軽石５が２〜４個収納できるようになっており、例えば２０〜３０ｍｍ程度に形成されている。仕切り板９は板本体の上部たる上端に張り出し部10がほぼ水平に形成されている。そして、仕切り板９の上部の厚みＯは下部の厚みＰからテーパ状となって次第により大きく形成されている。このテーパ（（Ｏ−Ｐ）／２）／Ｈが１／１００〜１／１０程度に形成されている。上部にさらに設けられる張り出し部10は、上部の左右両側、すなわち仕切り板９より格子９Ａの内側に張り出すように設けられており、その張り出し長さＱは、０．２〜５ｍｍ程度に形成されている。
【００１７】
前記苔２は好日性の苔（コケ）によって形成される。この好日性の苔としては、蘚類マゴケ亜綱シッポゴケ目シッポゴケ科ツリバリゴケ属に属するヤマトフデゴケを含むフデゴケ（フデ苔）を使用する。このフデゴケは、乾燥した岩等の上に茎に葉が生え、下部に仮根を介して群落を作って、全国各地の山地に自生し、岩山や川原の明るい岩の上によく生育するものであって、その茎、葉は直立したとき長さは６〜７ｃｍ程度である。そして名称のとおり、茎の上部に集中的に葉が付き、筆のような形をしており、やや黒味を帯びた緑色で、葉に光沢があり、美観に優れるものである。このフデゴケの仲間のなかで、フデゴケに含まれるヤマトフデゴケ（ヤマトフデゴケ）は柔軟な感じで明るい絨毯のような美観を有する。そしてこのフデゴケ５は園芸的には夏の焼けつく太陽下にも育つほど乾燥、日照りに強い性質を有する。フデゴケにかえてスナゴケ、カモジゴケ、ハイゴケ等でもよい。
【００１８】
尚、１個の収容体３とそれに設けられる仕切り板９と乾燥状態の軽石５との総重量は、３ｋｇ、好ましくは１．５ｋｇ程度として、水分を含んでも１個の収容体当たりの総重量を、５ｋｇ、好ましくは３ｋｇ程度とする。
【００１９】
前記構成についてその作用を説明する。収容体３の内底部に軽石５を敷き詰める。この際、敷き詰めた軽石５の上面と張り出し部10の上面との空間、すなわち種苔をまく空間の高さを５〜１０ｍｍ、好ましくは７〜８ｍｍとする。
【００２０】
そして、軽石５にまかれた苔は、その上方から給水することで、仕切り板９に囲まれた枡状の格子９Ａの中の苔２が育成し、仮根は軽石５にからみついて付着すると共に、茎、葉は生長する。この際、軽石５のピンホール状の孔５Ａに、種苔の根が入り込んで根付くので、軽石５から根が抜けにくくなる。給水において、内底に設けた凹部４に余分な水が貯まると共に、さらに余分な水はオーバーフロー孔７より排水できるようになっている。種苔は、格子９Ａ内に播かれて成長すると、張り出し部10より上方に伸びて、格子１Ａ内を苔２で埋めて収容体３の上面全体を苔２で埋め尽くして一面緑化とする。尚、このように成長した苔２は仕切り板９より上方に伸びた場合、仕切り板９の上面に足裏を接地して歩行したような場合、苔２の上部は摺り切れるが、またその切り口またはその近傍から成長を始めて再生する。このような再生により種苔はまくとその後メンテナンスは少なくて済むようになる。
【００２１】
したがって、収容体３に収容されたフデゴケ（苔２）は風雨や直射日光にさらされるが、フデゴケ（苔２）は太陽下にも育つほど乾燥、日照りに強い性質を有するので、水管理や直射日光の管理をほとんど行わなくとも枯れてしまうことがなく苔による屋上面の断熱作用などを図ることができる。
【００２２】
以上のように、前記実施例においては苔２の栽培用部材を多孔質部材としての軽石５とすることで、仮根が孔５Ａに入り込んで根付きしやすくなり、苔２の流出を阻止することができる。
【００２３】
また、収容体３に軽石５を敷き詰めるように収容する。この軽石５の敷き詰め、これにフデゴケやスナゴケ等の苔２を播つけることにより、苔２の仮根が軽石５の孔５Ａに入り込んでしかっり定着して群落を得ることができる。特に軽石５は通気性、保水性が優れていて土と違い病害虫や雑菌が発生しにくく、病気の発生も少なくできる。そして、病害虫が発生しにくくなっているので、鳥類が虫探しすることもないので、苔２の育ちに害がない。また、軽石５は軽石５相互がよく噛み合うので収容体３内に入れた場合、収容体３を設置する面、実施例ではビルの屋上１がかなり傾斜していてもこぼれ出ることはないなど、屋上緑化等の加工性、すなわち工事の施工性が良い。しかも、軽石５は摺り合っても細かく砂状になることが少なく、この結果軽石の孔５Ａが詰まることを防止することができる。また、軽石は気泡状の小さな孔５Ａが無数にあるため、熱が伝わりにくく、断熱効果が大きいので、天気が良く温度が高くても、苔２の緑が保たれる為、屋上緑化に適する。また軽石５を利用することで、水を撒いたとき軽石５の孔５Ａに吸収され、水が凹部４に溜まり、オーバーフロー孔７より排水されることは少なくなり、この結果、収容体３を接地した屋上１を水で汚すことを少なくすることができる。
【００２４】
さらに軽石５を弱酸性のものとすると、苔２との相性もよくなり、育ちを良くすることができる。また軽石５は孔５Ａによって保水性が良く、このために緑を保つ期間を長くすることができる。
【００２５】
また、収容体３の格子９Ａ内の苔２を抜き出そうとしても仕切り板９によって抵抗を受けて抜き出にくなる。しかもその縦断面は釘のように下部より上部にかけて次第に厚く形成し、さらに上部に張り出し部10を形成しているので、格子９Ａ内で苔２が軽石５に付着して群落になった場合上方に抜き出すような力が加わってもこれに抗して軽石５、ひいては苔２は抜き出されないようになっている。さらに、平面が格子状になっている仕切り板９の上部側が次第に幅狭く形成されていることにより、鳥が苔をほじくり返すことを防止できる。また、仕切り板９の平面が格子状となっているので、その上面に足裏を接地して歩行することができ、給水等の作業性の向上を図ることができる。さらに、収容体３自体を傾斜させても、軽石５が下方に片寄ったり、外に流出することもない。
【００２６】
１個の収容体３とそれに設けられる仕切り板９と乾燥状態の軽石５との総重量は、３ｋｇ、好ましくは１．５ｋｇ程度として、水分を含んでも１個の収容体３当たりの総重量を、５ｋｇ、好ましくは３ｋｇ程度として軽量化することで、屋上１に設置しても建物強化の必要はない。しかも、屋上１に設置する際には、屋上１に収容体３を敷設するだけでよいので、屋上施工時の負担を少なくすることができると共に、短時間で施工できる。しかも、屋上１の雨に対する塗装時などは、収容体を積み重ねられるので、簡単に作業を行うことができる。
【００２７】
また、苔２をフデゴケ、スナゴケ、カモジゴケ、ハイゴケの少なくとも１種とすることで、絨毯のように表面をはうような美観を有する。
【産業上の利用可能性】
【００２８】
以上のように本発明にかかる苔の栽培方法は、屋上以外の庭園、公園等の用途にも適用できる。
【図面の簡単な説明】
【００２９】
【図１】本発明の実施例１を示す一部を拡大した斜視図である。
【図２】本発明の実施例１を示す分解斜視図である。
【図３】本発明の実施例１を示す要部の平面図である。
【図４】本発明の実施例１を示す一部を拡大した要部の断面図である。
【符号の説明】
【００３０】
２  苔
３  収容体
４  凹部
５  軽石（栽培用部材、多孔質部材）
９  仕切り板
【図１】
2007037408.tif 000003
【図２】
2007037408.tif 000004
【図３】
2007037408.tif 000005
【図４】
2007037408.tif 000006